【手続補正書】
【提出日】平成17年11月21日(2005.11.21)
【手続補正１】
【補正対象書類名】明細書
【補正対象項目名】特許請求の範囲
【補正方法】変更
【補正の内容】
【特許請求の範囲】
【請求項１】  （ｉ）４時間後少なくとも３９ｇ／ｇの、０．７ｐｓｉの負荷を掛けられた状態での合成尿溶液についての圧力下性能（ＰＵＰ）能力および（ｉｉ）少なくとも５０×１０-7ｃｍ3 ｓｅｃ／ｇの食塩水流伝導度（ＳＦＣ）値を有する吸収性ポリマー組成物。
【請求項２】  組成物が少なくとも５０から１００×１０-7ｃｍ3 ｓｅｃ／ｇのＳＦＣ値を有することを特徴とする請求項１記載の吸収性ポリマー組成物。
【請求項３】  ４時間後少なくとも４１ｇ／ｇの、好ましくは４３ｇ／ｇの、０．７ｐｓｉの負荷を掛けられた状態での合成尿溶液についてのＰＵＰ能力を有する請求項１または２記載の吸収性ポリマー組成物。
【請求項４】  ４時間後３９ｇ／ｇから５８ｇ／ｇの、好ましくは４１ｇ／ｇから５５ｇ／ｇの、より好ましくは４３ｇ／ｇから５０ｇ／ｇの、０．７ｐｓｉの負荷を掛けられた状態での合成尿溶液についてのＰＵＰ能力を有する請求項１または２記載の吸収性ポリマー組成物。
【請求項５】  （ｉ）４時間後少なくとも３０ｇ／ｇの、０．７ｐｓｉの負荷を掛けられた状態での合成尿溶液についての圧力下性能（ＰＵＰ）能力および（ｉｉ）少なくとも５００×１０-7ｃｍ3 ｓｅｃ／ｇの食塩水流伝導度（ＳＦＣ）値を有する吸収性ポリマー組成物。
【請求項６】  組成物が少なくとも５００から１１００×１０-7ｃｍ3 ｓｅｃ／ｇのＳＦＣ値を有することを特徴とする請求項５記載の吸収性ポリマー組成物。
【請求項７】  ４時間後少なくとも３５ｇ／ｇの、好ましくは少なくとも４０ｇ／ｇの、０．７ｐｓｉの負荷を掛けられた状態での合成尿溶液についてのＰＵＰ能力を有する請求項５または６記載の吸収性ポリマー組成物。
【請求項８】  ４時間後３０ｇ／ｇから５０ｇ／ｇの、好ましくは３５ｇ／ｇから４５ｇ／ｇの、０．７ｐｓｉの負荷を掛けられた状態での合成尿溶液についてのＰＵＰ能力を有する請求項５または６載の吸収性ポリマー組成物。
【請求項９】  （ｉ）８時間後少なくとも４０ｇ／ｇの、０．７ｐｓｉの負荷を掛けられた状態での合成尿溶液についての圧力下性能（ＰＵＰ）能力および（ｉｉ）少なくとも５０×１０-7ｃｍ3 ｓｅｃ／ｇの食塩水流伝導度値を有する吸収性ポリマー組成物。
【請求項１０】  組成物が少なくとも５０から１００×１０-7ｃｍ3 ｓｅｃ／ｇのＳＦＣ値を有することを特徴とする請求項９記載の吸収性ポリマー組成物。
【請求項１１】  ８時間後少なくとも４２ｇ／ｇの、好ましくは少なくとも４４ｇ／ｇの、０．７ｐｓｉの負荷を掛けられた状態での合成尿溶液についてのＰＵＰ能力を有する請求項９または１０記載の吸収性ポリマー組成物。
【請求項１２】  ８時間後４０ｇ／ｇから５９ｇ／ｇの、好ましくは４２ｇ／ｇから５７ｇ／ｇの、より好ましくは４４ｇ／ｇから５５ｇ／ｇの、０．７ｐｓｉの負荷を掛けられた状態での合成尿溶液についてのＰＵＰ能力を有する請求項９または１０記載の吸収性ポリマー組成物。
【請求項１３】  （ｉ）１６時間後少なくとも４２ｇ／ｇの、０．７ｐｓｉの負荷を掛けられた状態での合成尿溶液についての圧力下性能（ＰＵＰ）能力および（ｉｉ）少なくとも５０×１０-7ｃｍ3 ｓｅｃ／ｇの食塩水流伝導度値を有する吸収性ポリマー組成物。
【請求項１４】  組成物が少なくとも５０から１００×１０-7ｃｍ3 ｓｅｃ／ｇのＳＦＣ値を有することを特徴とする請求項１３記載の吸収性ポリマー組成物。
【請求項１５】  １６時間後少なくとも４４ｇ／ｇの、好ましくは少なくとも４６ｇ／ｇの、０．７ｐｓｉの負荷を掛けられた状態での合成尿溶液についてのＰＵＰ能力を有する請求項１３または１４記載の吸収性ポリマー組成物。
【請求項１６】  １６時間後４２ｇ／ｇから６１ｇ／ｇの、好ましくは４４ｇ／ｇから５９ｇ／ｇの、より好ましくは４６ｇ／ｇから５７ｇ／ｇの、さらに好ましくは４８ｇ／ｇから５４ｇ／ｇの、０．７ｐｓｉの負荷を掛けられた状態での合成尿溶液についてのＰＵＰ能力を有する請求項１３または１４記載の吸収性ポリマー組成物。
【請求項１７】  ４時間後少なくとも３５ｇ／ｇの、１．４ｐｓｉの負荷を掛けられた状態での合成尿溶液についての圧力下性能（ＰＵＰ）能力および（ｉｉ）少なくとも５０×１０-7ｃｍ3 ｓｅｃ／ｇの食塩水流伝導度値を有する吸収性ポリマー組成物。
【請求項１８】  組成物が少なくとも５０から１００×１０-7ｃｍ3 ｓｅｃ／ｇのＳＦＣ値を有する請求項１７記載の吸収性ポリマー組成物。
【請求項１９】  ４時間後少なくとも３６ｇ／ｇの、好ましくは少なくとも３７ｇ／ｇの、１．４ｐｓｉの負荷を掛けられた状態での合成尿溶液についてのＰＵＰ能力を有する請求項１７または１８記載の吸収性ポリマー組成物。
【請求項２０】  ４時間後３５ｇ／ｇないし５０ｇ／ｇの、好ましくは３６ｇ／ｇないし４５ｇ／ｇの、より好ましくは３７ｇ／ｇないし４２ｇ／ｇの、１．４ｐｓｉの負荷を掛けられた状態での合成尿溶液についてのＰＵＰ能力を有する請求項１７または１８記載の吸収性ポリマー組成物。
【請求項２１】  （ｉ）４時間後少なくとも２７ｇ／ｇの、１．４ｐｓｉの負荷を掛けられた状態での合成尿溶液についての圧力下性能（ＰＵＰ）能力および（ｉｉ）少なくとも５００×１０-7ｃｍ3 ｓｅｃ／ｇの食塩水流伝導度（ＳＦＣ）値を有する吸収性ポリマー組成物。
【請求項２２】  組成物が少なくとも５００から１１００×１０-7ｃｍ3 ｓｅｃ／ｇのＳＦＣ値を有することを特徴とする請求項２１記載の吸収性ポリマー組成物。
【請求項２３】  ４時間後少なくとも３３ｇ／ｇの、好ましくは少なくとも４７ｇ／ｇの、１．４ｐｓｉの負荷を掛けられた状態での合成尿溶液についてのＰＵＰ能力を有する請求項２１または２２記載の吸収性ポリマー組成物。
【請求項２４】  ４時間後２７ｇ／ｇから４７ｇ／ｇの、好ましくは３３ｇ／ｇから４２ｇ／ｇの、１．４ｐｓｉの負荷を掛けられた状態での合成尿溶液についてのＰＵＰ能力を有する請求項２１または２２記載の吸収性ポリマー組成物。
【請求項２５】  ８時間後少なくとも３６ｇ／ｇの、１．４ｐｓｉの負荷を掛けられた状態での合成尿溶液についての圧力下性能（ＰＵＰ）能力および（ｉｉ）少なくとも５０×１０-7ｃｍ3 ｓｅｃ／ｇの食塩水流伝導度値を有する吸収性ポリマー組成物。
【請求項２６】  組成物が少なくとも５０から１００×１０-7ｃｍ3 ｓｅｃ／ｇのＳＦＣ値を有することを特徴とする請求項２５記載の吸収性ポリマー組成物。
【請求項２７】  ８時間後少なくとも３８ｇ／ｇの、好ましくは少なくとも４０ｇ／ｇの、１．４ｐｓｉの負荷を掛けられた状態での合成尿溶液についてのＰＵＰ能力を有する請求項２５または２６記載の吸収性ポリマー組成物。
【請求項２８】  ８時間後３６ｇ／ｇから５４ｇ／ｇの、好ましくは３８ｇ／ｇから５０ｇ／ｇの、より好ましくは４０ｇ／ｇから４６ｇ／ｇの、１．４ｐｓｉの負荷を掛けられた状態での合成尿溶液についてのＰＵＰ能力を有する請求項２５または２６記載の吸収性ポリマー組成物。
【請求項２９】  １６時間後少なくとも３７ｇ／ｇの、１．４ｐｓｉの負荷を掛けられた状態での合成尿溶液についての圧力下性能（ＰＵＰ）能力および（ｉｉ）少なくとも５０×１０-7ｃｍ3 ｓｅｃ／ｇの食塩水流伝導度値を有する吸収性ポリマー組成物。
【請求項３０】  組成物が少なくとも５０から１００×１０-7ｃｍ3 ｓｅｃ／ｇのＳＦＣ値を有することを特徴とする請求項２９記載の吸収性ポリマー組成物。
【請求項３１】  １６時間後少なくとも３９ｇ／ｇの、好ましくは少なくとも４１ｇ／ｇの、１．４ｐｓｉの負荷を掛けられた状態での合成尿溶液についてのＰＵＰ能力を有する請求項２９または３０記載の吸収性ポリマー組成物。
【請求項３２】  １６時間後３７ｇ／ｇから５６ｇ／ｇの、好ましくは３９ｇ／ｇから５２ｇ／ｇの、より好ましくは４１ｇ／ｇから４８ｇ／ｇの、１．４ｐｓｉの負荷を掛けられた状態での合成尿溶液についてのＰＵＰ能力を有する請求項２９または３０記載の吸収性ポリマー組成物。
【請求項３３】  請求項１ないし３２のいずれか１項記載の吸収性ポリマー組成物を含む少なくとも１つの領域を含む水性体液の含有のための吸収性部材。
【請求項３４】  液体透過性トップシート、バックシート、および前記トップシートと前記バックシートとの間に位置する吸収性コアを具備し、前記吸収性コアが請求項１ないし３３のいずれか１項記載の吸収性部材を含むことを特徴とする吸収製品。